(57)【要約】      （修正有）【課題】空間の雰囲気を効果的に演出できるとともに、化粧シートに経時的に発生する不具合を抑制できる建材パネルを提供する。【解決手段】建材パネル１は、発光面２１ａを有する面光源装置２１と、少なくとも発光面２１ａの一部あるいは全面を覆うように設けられた第１化粧シート２３と、を有する。【選択図】図２
2020097888.tif 000002
【特許請求の範囲】
【請求項１】
発光面を有する面光源装置と、
少なくとも前記発光面の一部あるいは全面を覆うように設けられた第１化粧シートと、を有する建材パネル。
【発明の詳細な説明】
【技術分野】
【０００１】
本開示の実施形態は、空間雰囲気の演出に用いられる建材パネル、構造体及び建材パネルの取付方法に関する。
本願は、２０１７年６月１日に出願された日本国特願２０１７−１０９５５７号に基づき優先権を主張し、その内容をここに援用する。
【背景技術】
【０００２】
空間の雰囲気を演出する手法として、光源からの間接光で照らす間接照明を用いる技術が広く知られている。例えばＪＰ２０１１−２１０５９４Ａでは、隠蔽されて直接的に視認され得ない光源からの光が、空間ではなく、空間を区画する壁や天井などに向けて照射することで、空間の広がりを強調できる照明システムが開示されている。
【０００３】
しかし、ＪＰ２０１１−２１０５９４Ａに開示された照明システムでは、光源を収容するユニットが空間内に向けて突出するので、周囲との統一感がなく、光源が直接的に視認されなくても光源の存在が意識されやすい。このため、空間の雰囲気を効果的に演出できない問題が生じている。
【０００４】
このような問題を解決するために、光源を収容するユニットの周囲にボード等の板状部材を配置してユニットの突出感をなくすとともに、ユニット及びボードの表面に化粧シートを貼り付けることで全体の統一感を図り、空間の雰囲気を演出する方法が検討されている。
【０００５】
しかし、上述した方法では、ユニット及びボードといった異種材料の上に単一の化粧シートが貼り付けられており、材料の熱膨張係数の違いや壁面全体のひずみ等に伴う経時変化で、ユニットとボードとの継ぎ目に対応する化粧シートの位置にしわが寄ったり、不陸が生じたり、クラックが入ったりする不具合が発生しやすい問題がある。
【発明の開示】
【０００６】
本開示の一実施形態は、上記の点に鑑みてなされたものであり、空間の雰囲気を効果的に演出できるとともに、化粧シートに経時的に発生する不具合を抑制できる建材パネル、構造体及び建材パネルの取付方法を提供することを目的とする。
【０００７】
本開示の一実施形態に係る建材パネルは、発光面を有する面光源装置と、少なくとも前記発光面の一部あるいは全面を覆うように設けられた第１化粧シートとを有する。
【０００８】
本開示の一実施形態に係る建材パネルにおいて、前記発光面の少なくとも一部を露出するように前記面光源装置を保持する保持部を、更に有することが好ましい。
【０００９】
本開示の一実施形態に係る建材パネルにおいて、板状部材と、前記板状部材の少なくとも一部を覆うように設けられた第２化粧シートとを、更に有することが好ましい。
【００１０】
また、本開示の一実施形態に係る建材パネルにおいて、前記第１化粧シートと前記第２化粧シートとは、互いに分離した状態で一軸方向に沿って配置されていることが好ましい。
【００１１】
また、本開示の一実施形態に係る建材パネルにおいて、前記一軸方向において、前記第１化粧シートの化粧面と前記第２化粧シートの化粧面とは面一であることが好ましい。
【００１２】
更に、本開示の一実施形態に係る建材パネルにおいて、前記保持部は、前記一軸方向に沿って両側から前記面光源装置を挟持し、互いに対向する一対のフレーム部を少なくとも有することが好ましい。
【００１３】
更に、本開示の一実施形態に係る建材パネルにおいて、前記保持部は、前記一対のフレーム部を連結するとともに、前記発光面とは反対側に配置された背板部を更に有することが好ましい。
【００１４】
更に、本開示の一実施形態に係る建材パネルにおいて、前記保持部の前記背板部には、１以上の孔が設けられていることが好ましい。
【００１５】
更に、本開示の一実施形態に係る建材パネルにおいて、前記第１化粧シートは、前記フレーム部の外縁まで覆うように設けられていることが好ましい。
【００１６】
更に、本開示の一実施形態に係る建材パネルにおいて、前記発光面の或る位置からの出射光量は、当該位置よりも一軸方向における一方の側に位置する前記発光面の他の或る位置からの出射光量よりも少なくなっていることが好ましい。
【００１７】
更に、本開示の一実施形態に係る建材パネルにおいて、前記面光源装置は、
前記発光面に対向する位置に配置された光反射シートと、前記発光面の他の或る位置からの出射光量よりも少なくなるように前記発光面の或る位置からの出射光量を調整する調整シートと、前記発光面と前記光反射シートとの間において前記発光面および前記光反射シートに対して前記一軸方向における一方の側に位置し、前記一軸方向における一方の側から他方の側に向けて光を射出する光源と、を有し、前記調整シートは、前記光源よりも前記発光面側に位置することが好ましい。
【００１８】
更に、本開示の一実施形態に係る建材パネルにおいて、前記面光源装置は、前記発光面に対向する位置に配置された光反射シートと、前記発光面の他の或る位置からの出射光量よりも少なくなるように前記発光面の或る位置からの出射光量を調整する調整シートと、前記発光面と前記光反射シートとの間において前記発光面および前記光反射シートに対して前記一軸方向における一方の側に位置し、前記一軸方向における一方の側から他方の側に向けて光を射出する光源と、を有し、前記調整シートは、前記光源よりも前記光反射シート側に位置することが好ましい。
【００１９】
本開示の一実施形態に係る構造体は、上述の建材パネルを少なくとも一つ有する構造体であって、前記面光源装置と前記第１化粧シートとを含む発光領域、を備えることを特徴としている。
【００２０】
本開示の一実施形態に係る構造体は、上述の建材パネルを少なくとも一つ有する構造体であって、前記面光源装置及び前記第１化粧シートを含む発光領域と、板状部材及び第２化粧シートを含む非発光領域と、を備え、前記発光領域と前記非発光領域とは、前記一軸方向に沿って配置されていることを特徴としている。
【００２１】
本開示の一実施形態に係る構造体において、前記建材パネルを複数有し、前記発光領域は、複数の前記面光源装置及び前記第１化粧シートを前記一軸方向に直交する方向に沿ってそれぞれ並設することによって形成されていることが好ましい。
【００２２】
本開示の一実施形態に係る建材パネルの取付方法は、上述の建材パネルの取付方法であって、前記面光源装置と前記第１化粧シートとを取り付ける工程、を含むことを特徴としている。
【００２３】
本開示の一実施形態に係る建材パネルの取付方法において、板状部材と第２化粧シートとを取り付ける工程、を更に含むことが好ましい。
【００２４】
また、本開示の一実施形態に係る構造体は、発光面を有する面光源装置と、少なくとも前記発光面の一部を覆うように設けられた第１化粧シートと、を有する発光部と、板状部材と、少なくとも前記板状部材の一部を覆うように設けられた第２化粧シートと、を有する非発光部と、を備え、前記発光部と前記非発光部とは、一軸方向に沿って離れて配置されており、前記発光部と前記非発光部との間には、前記一軸方向に沿う第３化粧シートが設けられていることを特徴としている。
【００２５】
また、本開示の一実施形態に係る構造体は、発光面を有する面光源装置と、少なくとも前記発光面の一部を覆うように設けられた第１化粧シートと、を有する発光部と、板状部材と少なくとも前記板状部材の一部を覆うように設けられた第２化粧シートとを有し、一軸方向に沿って前記発光部から離れて配置される非発光部と、前記発光部と前記非発光部との間に配置されて前記発光部の側端部を支持する基部を少なくとも有する発光部支持部材と、を備え、前記発光部支持部材の前記基部は、前記発光面より該発光面とは反対側に奥まっていることを特徴としている。
【００２６】
本開示の一実施形態に係る構造体において、前記発光部支持部材の前記基部と前記非発光部との間には、前記一軸方向に沿う第３化粧シートが設けられていることが好ましい。
【００２７】
また、本開示の一実施形態に係る構造体において、前記発光面の少なくとも一部を露出するように前記面光源装置を保持するとともに、壁又は天井に取り付けられる保持部を、更に有することが好ましい。
【００２８】
本開示の一実施形態に係る構造体は、ベース照明と、前記ベース照明よりも低い輝度で発光する発光部であって、発光面を有する面光源装置と、少なくとも前記発光面の一部を覆うように設けられた第１化粧シートと、を有する前記発光部と、板状部材と、少なくとも前記板状部材の一部を覆うように設けられた第２化粧シートと、を有する非発光部と、を備え、前記発光部と前記非発光部が一軸方向に沿って並んで配置されている。
【００２９】
また、本開示の一実施形態に係る構造体において、壁と、前記壁に取り付けられた、本開示による建材パネルと、を備えることが好ましい。
【００３０】
また、本開示の一実施形態に係る構造体において、少なくとも前記面光源装置が取り付けられる壁を、更に備えることが好ましい。
【００３１】
本開示によれば、空間の雰囲気を効果的に演出できるとともに、化粧シートに経時的に発生する不具合を抑制することができる。
【図面の簡単な説明】
【００３２】
【図１】第１実施形態の建材パネルを示す正面図である。
【図２】図１のＸ−Ｘ線に沿う断面図である。
【図３】発光部を示す分解斜視図である。
【図４】発光部の変形例を示す分解斜視図である。
【図５】発光部の変形例を示す分解斜視図である。
【図６】第２実施形態の建材パネルを示す断面図である。
【図７】第３実施形態の建材パネルを示す断面図である。
【図８】第１実施形態の構造体を示す図である。
【図９】第２実施形態の構造体を示す図である。
【図１０Ａ】図９のＹ−Ｙ線に沿う断面図である。
【図１０Ｂ】図９のＹ−Ｙ線に沿う断面図である。
【図１１】第３実施形態の構造体を示す図である。
【図１２】図１１のＺ−Ｚ線に沿う断面図である。
【図１３Ａ】発光領域の変形例を示す断面図である。
【図１３Ｂ】発光領域の変形例を示す断面図である。
【図１４Ａ】発光領域の変形例を示す断面図である。
【図１４Ｂ】発光領域の変形例を示す断面図である。
【図１４Ｃ】発光領域の変形例を示す断面図である。
【図１５Ａ】発光領域の変形例を示す断面図である。
【図１５Ｂ】発光領域の変形例を示す断面図である。
【図１６】第４実施形態の構造体を示す断面図である。
【図１７】第５実施形態の構造体を示す断面図である。
【図１８】第６実施形態の構造体を示す断面図である。
【図１９】第７実施形態の構造体の面光源装置を示す分解斜視図である。
【図２０】第８実施形態の構造体の面光源装置を示す分解斜視図である。
【発明を実施するための形態】
【００３３】
以下、図面を参照して本開示の実施形態について説明する。図面の説明において同一の要素には同一符号を付し、重複する説明は省略する。また、本件明細書に添付する図面においては、図示と理解のしやすさの便宜上、適宜縮尺及び縦横の寸法比等を実物のそれら変更し誇張してある。
【００３４】
また、本明細書において用いる、形状や幾何学的条件並びにそれらの程度を特定する、例えば、「平行」、「直交」、「同じ」等の用語については、厳密な意味に縛られることなく、同様の機能を期待し得る程度の範囲を含めて解釈することとする。
【００３５】
さらに、本明細書において、「シート」、「板」の用語は、呼称の違いのみに基づいており、互いに区別されるものではない。例えば、「板」はシートと呼ばれ得るような部材も含む概念である。したがって、「導光板」とは、「導光シート」と呼称の相違のみにおいて区別されない。
【００３６】
＜建材パネルの第１実施形態＞
図１は第１実施形態の建材パネルを示す正面図であり、図２は図１のＸ−Ｘ線に沿う断面図である。本実施形態の建材パネル１は、通常のベース照明と異なった、空間演出用の照明に関するものであり、部屋Ｒの壁Ｗ又は／及び天井Ｃに後付で取り付けられ、ベース照明とともにユーザに優しい光空間を演出するためのパネルである。空間演出用の照明として用いる場合、例えば、本実施形態の建材パネル１の明るさはベース照明の明るさよりも低く設定されていてもよい。例えば、発光部２の輝度はベース照明の輝度よりも低く設定されていてもよい。このような構成によれば、発光部２の発光時にユーザが違和感を覚えにくくなる。
【００３７】
例えば図１及び図２に示すように壁Ｗに取り付けられた状態において、建材パネル１は、一軸方向（ここでは、上下方向又は鉛直方向）ｄ１に沿って天井Ｃ付近に配置された平板状の発光部（発光パネル）２と、発光部２の下方に配置された平板状の非発光部３（非発光パネル）とを備える。なお、ここでいう壁Ｗは、空間を仕切るパーテンション等を含むものとする。建材パネル１における発光部２と非発光部３の占める割合は特に制限されないが、図１及び図２に示すように発光部２が非発光部３よりも小さい面積となるように設定されてもよい。このような構成によれば、発光部２の発光時にユーザが違和感を覚えにくくなる。好ましくは、発光部２の面積と非発光部の面積の比率を１：４〜１：１５としてもよく、さらに好ましくは１：８〜１：１２としてもよい。
【００３８】
図３は発光部を示す分解斜視図である。発光部２は、主に、発光面２１ａを有する面光源装置２１と、発光面２１ａを露出するとともに該面光源装置２１を収容して保持する保持部２２と、発光面２１ａを覆うように設けられた第１化粧シート２３とを有する。発光部２の厚さは特に制限はないが、例えば、２０ｍｍ以下であってもよく、好ましくは１０ｍｍ以下であってもよく、さらに好ましくは６ｍｍ以下であってもよい。このような構成によれば、空間内における統一感を損なうことが抑制される。
【００３９】
面光源装置２１は、エッジライト型の面光源装置として構成されており、長尺状の光源２１１と、光源２１１が発する光を方向転換させて発光面２１ａから出射させる導光板２１２とを有する。光源２１１には、発光ダイオード（ＬＥＤ）、冷陰極管、白熱電球、レーザー発振装置等を用いることができるが、装置全体の小型化を図り易くする観点から、本実施形態では点状のＬＥＤが用いられている。従って、本実施形態の光源２１１は、長尺状の光源基板と、該光源基板に一定の間隔で実装された複数の点状ＬＥＤとからなる。以下、面光源装置２１として上記のエッジライト型の面光源装置用いた例を説明するが、これに限らず、例えば、直下型ＬＥＤを用いた面光源装置、ＥＬ（Electro Luminescence）シートを用いた面光源装置等を用いて構成してもよい。また、発光部２が複数存在する場合、面光源装置２１を上記のいずれかとエッジライト型の面光源装置との組合せにより構成してもよい。
【００４０】
導光板２１２は、矩形状の薄板であって、互いに対向する一対の主面２１２ａ、２１２ｂと、一対の主面２１２ａ、２１２ｂの間に画成された４つの側面とを有する。この導光板２１２は、光源２１１からの光が側面に入射するように該光源２１１の下方に配置されており、該光源２１１と一体的に形成されている。なお、導光板２１２は、該光源２１１と別体に形成されていてもよい。
【００４１】
また、導光板２１２の一対の主面２１２ａ、２１２ｂのうち、壁Ｗに面する主面２１２ｂには光反射シート２２１（図１９および図２０参照）、それと反対側の主面２１２ａには光拡散シート２２３（図１９および図２０参照）がそれぞれ設けられている。そして、光拡散シート２２３は面光源装置２１の発光面２１ａを形成する。導光板２１２、光反射シート２２１及び光拡散シート２２３の構造や材料などについては、既に周知されたものであり、詳細説明を省略する。
【００４２】
保持部２２は、開口部２２ａを有する扁平箱状を呈しており、一軸方向ｄ１（すなわち上下方向）に沿って両側から面光源装置２１を挟持する上下一対のフレーム部（上側フレーム部２２ｂ、下側フレーム部２２ｃ）と、一軸方向ｄ１に直交する左右方向（すなわち、水平方向）に沿って両側から面光源装置２１を挟持する左右一対フレーム部（左側フレーム部２２ｄ、右側フレーム部２２ｅ）とを有する。上側フレーム部２２ｂと下側フレーム部２２ｃ、及び左側フレーム部２２ｄと右側フレーム部２２ｅとは、それぞれ平行に対向している。そして、これらのフレーム部２２ｂ，２２ｃ，２２ｄ，２２ｅは、矩形状の枠体を形成するように連結されている。
【００４３】
また、開口部２２ａの反対側には、フレーム部２２ｂ，２２ｃ，２２ｄ，２２ｅを連結する背板部２２ｆが配置されている。背板部２２ｆの中央位置には、面光源装置２１の配線ケーブル等（図示せず）を保持部２２の外部に取り出すための貫通孔２２ｇが１つ設けられている。また、貫通孔２２ｇは、配線を通す以外に、面光源装置２１の発熱を逃がすために用いてもよい。その場合、導光板２１２と背板部２２ｆとの間に空隙があった方が、大面積に空気が対流するためより好ましい。また、貫通孔２２ｇは、複数設けたり、光源２１１の近い位置ほど高密度に設けたり、冷却フィンのような構造を設けて機能させても良い。更に貫通孔は、背板部２２ｆだけでなくフレーム部に設けても良い。保持部２２は、アルミニウム等の金属材料により形成されても良く、樹脂材料により形成されても良い。そして、導光板２１２は、保持部２２の背板部２２ｆとの間に密着するように該保持部２２に保持されても良く、又は背板部２２ｆとの間に空隙を有するように保持されても良い。
【００４４】
第１化粧シート２３は、面光源装置２１の光源２１１の側面及び発光面２１ａの面積よりも大きく形成され、面光源装置２１を保持部２２の内部に閉じ込めるように、接着剤等でフレーム部２２ｂ，２２ｃ，２２ｄ，２２ｅに貼り付けられている。第１化粧シート２３の化粧面２３ａは、部屋内部に面している。なお、ここでの化粧面は、意匠効果を果たす表面層のことを指す。第１化粧シート２３には、紙系の化粧シートや樹脂系の化粧シート（例えば木質調化粧シート、鏡面調化粧シート）等が用いられる。また、第１化粧シート２３は光透過性を有しても良く、光透過性を有しなくても良い。
【００４５】
一方、非発光部３は、薄板状のボード（板状部材）３１と、該ボード３１に貼り付けられた第２化粧シート３２とを有する。ボード３１は、発光部２との間に隙間を有するように該発光部２の下方に配置されており、床Ｆから少し離れた（すなわち、床Ｆより高い位置）まで延設されている。なお、ボード３１には、樹脂製板、木製板、コンクリート、モルタル等のセメント系材料からなる板、石膏ボード、珪酸カルシウム等からなる無機非金属板、アルミニウム等からなる金属板を用いることができる。また、ボード３１は耐燃性や耐火性を有することが好ましい。非発光部３の厚さは特に制限はないが、例えば、２５ｍｍ以下であってもよく、好ましくは２０ｍｍ以下であってもよく、さらに好ましくは１０ｍｍ以下であってもよく、さらに好ましくは６ｍｍ以下であってもよい。このような構成によれば、空間内における統一感を損なうことが抑制される。
【００４６】
第２化粧シート３２は、上記第１化粧シート２３と同じ側に位置するように、接着剤等でボード３１に貼り付けられている。その化粧面３２ａは部屋内部に面している。この第２化粧シート３２は、第１化粧シート２３と材質、色彩及び模様が同じであっても良く、異なっても良いが、全体としての統一感を図ることを考慮した場合、同じであるのが好ましい。
【００４７】
図１及び図２に示すように、壁Ｗに取り付けられた状態において、発光部２と非発光部３とは、第１化粧シート２３と第２化粧シート３２とが互いに分離した状態で（例えば第１化粧シート２３と第２化粧シート３２との間に隙間を有するように）、一軸方向ｄ１に沿って配置されている。なお、第１化粧シート２３及び第２化粧シート３２間の隙間は、大きくなると発光部２と非発光部３の統一感を却って損なう可能性があるので、統一感を損なわれない程度であれば良い。例えば、第１化粧シート２３及び第２化粧シート３２間の隙間は３０ｍｍ以内であってもよく、好ましくは２０ｍｍ以内であってもよく、さらに好ましくは１０ｍｍ以内であってもよく、さらに好ましくは５ｍｍ以下であってもよい。また、第１化粧シート２３の化粧面２３ａと第２化粧シート３２の化粧面３２ａとは、一軸方向ｄ１において面一であることが好ましい。第１化粧シート２３の化粧面２３ａと第２化粧シート３２の化粧面３２ａとが面一であるとは、ユーザが一方の化粧面のみが突出していると認識しない程度をいう。例えば、第１化粧シート２３の化粧面２３ａと第２化粧シート３２の化粧面３２ａの段差が、３ｍｍ以内であってもよく、好ましくは２ｍｍ以内であってもよく、さらに好ましくは１ｍｍ以内であってもよい。
【００４８】
このように構成された建材パネル１では、面光源装置２１、保持部２２及び第１化粧シート２３を有する発光部２を備えており、面光源装置２１は、第１化粧シート２３で隠蔽されるので、光源としての存在感を薄めることができ、空間の雰囲気を効果的に演出することができる。また、第１化粧シート２３及び第２化粧シート３２の色彩や模様等を適宜選択することにより、該建材パネル１を違和感なく周囲に溶け込むことができるので、落ち着き感や快適感といった付加価値を空間にもたらすことが可能である。
【００４９】
更に、ここで、面光源装置２１の発光面２１ａ内の輝度分布が設定されて良い。例えば発光面２１ａの或る位置からの出射光量が、当該位置よりも一軸方向ｄ１における第１側ｓ１に位置する発光面２１ａの他の或る位置からの出射光量よりも少なくなるようにしてもよい。さらに、発光面２１ａの或る位置からの出射光量が、当該位置よりも一軸方向ｄ１における第１側ｓ１に位置する発光面２１ａの任意の他の或る位置からの出射光量以下となるようにしてもよい。この例において、発光面２１ａから出射される光は、天井Ｃ側で明るく、天井Ｃ側から床Ｆ側に（すなわち、一軸方向ｄ１における第１側ｓ１から第２側ｓ２に）行くにつれて徐々に暗くなっていくように設定され得る。このように明暗のグラデーションを付加することで、光源としての存在感を薄める効果、及び空間雰囲気の演出効果を更に高めることができる。若しくは、その他の輝度分布により意匠性を持たせてもよい。例えば幾何学的なパターンや実写画像、文字パターンでもよい。また、バイナリーな分布でも階調のある分布でもよい。なお、導光板２１２を含む面光源装置２１では、光源２１１から離間する側での出射光量が低下するように、調整することが可能である。とりわけ、後述する調整シート２２２を有する面光源装置２１では、一軸方向ｄ１に沿った発光面２１ａの各位置からの出射光量分布を、高い自由度で調整することができる。
【００５０】
さらに、面光源装置２１に用いられる光源２１１を適宜選択することにより、面光源装置２１の発光色に色味を持たせることが可能であるので、季節の変化、利用目的などのニーズに応じて、発光色を変化させることができる。例えば、部屋Ｒで話し合われる内容等に応じて、面光源装置２１の発光色を変化させるようにしても良い。また、発光色及び／又は発光量を制御するようにしても良い。発光量の制御は、発光に用いられる光源２１１の種類や数量を調節することで実現可能である。このようにすることで、空間自体の雰囲気を高める効果を越えて、空間内に居るユーザの感性に訴えて快適性等を付与することもできる。
【００５１】
加えて、発光部２と非発光部３とは、第１化粧シート２３と第２化粧シート３２とが互いに分離した状態で一軸方向ｄ１に沿って配置されている。すなわち、第１化粧シート２３及び第２化粧シート３２は離れて配置されている。このため、従来のように異種材料からなる部材同士の継ぎ目で化粧シートにしわが寄ったり、不陸が生じたり、クラックが入ったりする経時不具合の発生を抑制することができる。更に、第１化粧シート２３の化粧面２３ａと第２化粧シート３２の化粧面３２ａとは、一軸方向ｄ１において面一であるので、発光部２と非発光部３との統一感が図り易くなり、空間の雰囲気をより効果的に演出できる。
【００５２】
[建材パネルの取付方法]
以下、建材パネル１の取付方法について説明する。本実施形態の建材パネル１の取付方法は、建物に発光部２を取り付ける発光部取付工程と、建物に非発光部３を取り付ける非発光部取付工程とを含む。発光部取付工程と非発光部取付工程とは、時系列的な順序がなく、発光部取付工程の後に非発光部取付工程を行っても良く、その逆であっても良く、更にこれらの工程を同時に行っても良い。ここでは、発光部取付工程の後に非発光部取付工程を行う例を説明する。
【００５３】
発光部取付工程では、まず、保持部２２を壁Ｗに固定させる。具体的には、例えば保持部２２の背板部２２ｆにネジが挿通されるネジ孔を設けて、ネジ止めで保持部２２を壁Ｗに固定させる。次に、発光面２１ａが保持部２２の開口部２２ａから露出するように、面光源装置２１を保持部２２の内部に設置する。続いて、第１化粧シート２３の化粧面２３ａが部屋内部に向く状態で、開口部２２ａを閉じるように該第１化粧シート２３を保持部２２のフレーム部に貼り付ける。
【００５４】
或いは、該発光部取付工程において、まず面光源装置２１、保持部２２及び第１化粧シート２３を先に組み立てて発光部２を作製する。続いて、壁Ｗに発光部２を取り付けるためのレールをネジ止めで固定させた後に、金具等で該発光部２をレールに引掛けることにより壁Ｗに取り付ける。
【００５５】
一方、発光取付工程に続く非発光部取付工程では、例えば接着やネジ止め等の方法でボード３１を壁Ｗに固定させた後に、ボード３１に第２化粧シート３２を貼り付ける。或いは、第２化粧シート３２を先にボード３１に貼り付けて非発光部３を作製し、続いて接着剤で非発光部３を壁Ｗに取り付ける。
【００５６】
このような方法によれば、建材パネル１を容易に建物に取り付けることができる。
【００５７】
なお、以上の説明において、発光部２の保持部２２を箱状としたが、箱状のほかに様々な変形例も考えられる。
【００５８】
例えば図４に示す変形例では、発光部２Ａの保持部２２Ａは、断面コ字状のレール状に形成されている。すなわち、保持部２２Ａは、一軸方向ｄ１に沿って両側から面光源装置２１を挟持する上下一対のフレーム部（上側フレーム部２２ｂ、下側フレーム部２２ｃ）と、これらのフレーム部を連結する背板部２２ｆとを有する。背板部２２ｆの中央位置には、面光源装置２１の配線ケーブル（図示せず）を取り出すための貫通孔２２ｇが１つ設けられている。この場合は、水平方向からの挿入で面光源装置２１を保持部２２Ａに設置できるので、発光部２Ａの組み立て作業を容易に行うことができる。
【００５９】
また、図５に示す変形例では、発光部２Ｂの保持部２４は、別体に形成された二つの部材（上側フレーム部２４ａ、下側フレーム部２４ｂ）によって形成されている。上側フレーム部２４ａと下側フレーム部２４ｂとは、それぞれ断面Ｌ字状を呈し、上下両側から面光源装置２１を挟持するように対向して配置されている。
【００６０】
なお、面光源装置を保持部に設置する方法としては、上述の一軸方向ｄ１に沿って両側から挟持する方法のほか、建築等の分野において広く使用されるケンドン式やピボット式などの構造を用いても良い。
【００６１】
＜建材パネルの第２実施形態＞
図６は第２実施形態の建材パネルを示す断面図である。本実施形態の建材パネル１Ａは、第１化粧シート２３Ａの配置範囲において第１実施形態と異なっている。その他の構成は第１実施形態と同様であるので、重複説明を省略する。
【００６２】
具体的には、第１化粧シート２３Ａは、面光源装置２１の光源２１１の側面及び発光面２１ａの面積と同じ大きさに形成され、接着剤などで光源２１１の側面及び発光面２１ａに直接貼り付けられている。この場合、保持部２２のフレーム部２２ｂ，２２ｃ，２２ｄ，２２ｅの色彩や模様等は目立たないことが好ましい。このようにすることで、フレーム部２２ｂ，２２ｃ，２２ｄ，２２ｅが第１化粧シート２３Ａから露出した状態であっても、第１化粧シート２３Ａ及び第２化粧シート３２との統一感を維持することができる。
【００６３】
本実施形態の建材パネル１Ａによれば、上述の第１実施形態と同様な作用効果を得られるほか、第１実施形態の第１化粧シート２３と比べてサイズが小さくなるので、材料の節約を図る効果を奏する。
【００６４】
＜建材パネルの第３実施形態＞
図７は第３実施形態の建材パネルを示す断面図である。本実施形態の建材パネル１Ｂは、第１化粧シート２３Ｂの配置範囲において第１実施形態と異なっている。その他の構成は第１実施形態と同様であるので、重複説明を省略する。
【００６５】
具体的には、第１化粧シート２３Ｂは、その下端部が更に奥行方向（図７において、紙面の左右方向）に折り曲げられ、保持部２２の下側フレーム部２２ｃの外縁まで延設されている。すなわち、第１化粧シート２３Ｂは、面光源装置２１の光源２１１の側面及び発光面２１ａのみならず、下側フレーム部２２ｃの外縁までも覆うように配置されている。本実施形態の建材パネル１Ｂによれば、上述の第１実施形態と同様な作用効果を得られる。また、第１化粧シート２３Ｂの下端部が保持部２２の下側フレーム部２２ｃの外縁まで覆うように配置されるので、仮に保持部２２のフレーム部が目立つものであっても、第１化粧シート２３Ｂで隠れるので、第１化粧シート２３Ａ及び第２化粧シート３２との統一感を損なうことがない。なお、図７においては、発光部２を上側、非発光部３を下側に配置した例を示すが、発光部２を下側、非発光部３を上側に配置してもよい。この場合、保持部２２の上側フレーム部２２ｂの側面まで第１化粧シート２３Ｂが延設される。
【００６６】
なお、この場合にあっては、第１化粧シート２３Ｂの左右両端部もそれぞれ保持部２２の左側フレーム部２２ｄ、右側フレーム部２２ｅの外縁まで延びており、これらの外縁まで覆うように配置されても良い。
【００６７】
＜構造体の第１実施形態＞
図８は第１実施形態の構造体を示す図である。本実施形態の構造体１０は、例えば部屋Ｒの壁Ｗに取り付けられた建材パネル１を有するものであって、一軸方向ｄ１に沿って配置された発光領域１２と非発光領域１３とを備える。部屋Ｒの天井Ｃには、部屋Ｒに光を照射する照明器具（すなわち、ベース照明）１１が配置されている。照明器具１１は、天井Ｃに埋め込まれても良く、天井Ｃから吊り下げられても良い。建材パネル１は、一軸方向ｄ１に沿って天井Ｃ付近に配置された発光部（発光パネル）２と、発光部２の下方に並設された二つの非発光部（非発光パネル）３とを有する。そして、発光部２は構造体１０の発光領域１２、二つの非発光部３（第１非発光部３ａ、第２非発光部３ｂ）は非発光領域１３をそれぞれ形成する。発光部２を空間演出用の照明として用いる場合、例えば、本実施形態の発光部２の明るさはベース照明の明るさよりも低く設定されていてもよい。例えば、発光部２の輝度はベース照明の輝度よりも低く設定されていてもよい。このような構成によれば、発光部２の発光時にユーザが違和感を覚えにくくなる。
【００６８】
発光部２と第１非発光部３ａとは、第１化粧シート２３と第２化粧シート３２とが互いに分離した状態で一軸方向ｄ１に沿って配置されている。第２非発光部３ｂは、第１非発光部３ａとの間に隙間を有するように第１非発光部３ａの下方に配置されている。発光部２及び第１非発光部３ａ間の隙間の寸法（すなわち、発光部２及び第１非発光部３ａ間の距離）は、第１非発光部３ａ及び第２非発光部３ｂ間の隙間と同じであっても良く、異なっても良い。そして、全体の統一感を図りやすくするため、これらの隙間の寸法を同じにするのが好ましい。
【００６９】
このように構成された構造体１０では、発光部２により形成された発光領域１２と、非発光部３により形成された非発光領域１３とを備え、発光領域１２と非発光領域１３とは一軸方向ｄ１に沿って配置されているので、上述の建材パネル１と同様な作用効果を得られる。
【００７０】
＜構造体の第２実施形態＞
図９は第２実施形態の構造体を示す図であり、図１０Ａ及び図１０Ｂは図９のＹ−Ｙ線に沿う断面図である。本実施形態の構造体１０Ａは、複数の建材パネル１を有しており、且つ発光領域１２が複数の発光部２で形成される点において、第１実施形態と異なっている。その他の構成は第１実施形態と同様であるので、重複説明を省略する。
【００７１】
具体的には、発光領域１２は、例えば図１０Ａに示すように、３つの発光部２を水平方向（一軸方向ｄ１に直交する方向）に沿って並設することによって形成されている。これらの発光部２は、間に隙間が生じないように隣接する保持部２２同士を突き合わせて配置されている。なお、ここで、発光領域１２は、図１０Ｂに示すように、共通となる一つの保持部２２の中に、面光源装置２１と第１化粧シート２３とからなる集合体を３つ水平方向に並設することにより形成されても良い。
【００７２】
＜構造体の第３実施形態＞
図１１は第３実施形態の構造体を示す図であり、図１２は図１１のＺ−Ｚ線に沿う断面図である。本実施形態の構造体１０Ｂは、複数の建材パネル１を有しており、且つ発光領域１２が複数の発光部２で形成される点において、第１実施形態と異なっている。その他の構成は第１実施形態と同様であるので、重複説明を省略する。
【００７３】
具体的には、発光領域１２は、例えば３つの発光部２を水平方向に沿って並設することによって形成されている。これらの発光部２は、一定の隙間を有するように間隔を開けて配置されている。
【００７４】
なお、発光領域１２の構成については、上述した内容のほか、様々な変形例も考えられる。例えば図１３Ａに示す変形例では、発光領域１２は、共通となる保持部２２及び面光源装置２１に、同じサイズを有する複数（ここでは、３つ）の第１化粧シート２３を一定の隙間を有するように貼り付けることによって、形成されている。この場合、隣接する第１化粧シート２３同士の間の隙間から光が出射されることで、異なる雰囲気を演出する効果を奏する。
【００７５】
また、図１３Ｂに示す変形例では、発光領域１２は、上述した第２実施形態の建材パネルの発光部２を３つ並設することによって形成されている。これらの発光部２は、間に隙間が生じないように隣接する保持部２２同士を突き合わせて配置されている。この場合、隣接する第１化粧シート２３Ａ同士は、突き合せられた隣接する保持部２２の左側フレーム部２２ｄ及び右側フレーム部２２ｅによって、間に隙間を有するようになっている。
【００７６】
また、図１４Ａに示す変形例では、発光領域１２は、共通となる一つの保持部２２の中に、面光源装置２１と第１化粧シート２３とからなる集合体を複数水平方向に並設することによって形成されている。そして、隣接する導光板２１２Ａ同士のうち、一方の端部が段差状、他方の端部がそれに対応する逆向きの段差状にそれぞれ加工されている。これらの端部を突き合せることによって、隣接する導光板２１２Ａ同士の位置ずれを防止することができる。
【００７７】
また、図１４Ｂに示す変形例では、発光領域１２は、共通となる一つの保持部２２の中に、面光源装置２１と第１化粧シート２３とからなる集合体を複数水平方向に並設することによって形成されている。そして、隣接する導光板２１２Ｂ同士のうち、一方の端部がテーパ状、他方の端部がそれに対応する逆向きのテーパ状にそれぞれ加工されている。これらの端部を突き合せることによって、隣接する導光板２１２Ｂ同士の位置ずれを防止することができる。
【００７８】
また、図１４Ｃに示す変形例では、発光領域１２は、共通となる一つの保持部２２の中に、面光源装置２１と第１化粧シート２３とからなる集合体を複数水平方向に並設することによって形成されている。そして、隣接する導光板２１２Ｃ同士のうち、一方の端部が凸曲面状、他方の端部がそれに対応する凹曲面状にそれぞれ加工されている。これらの端部を突き合せることによって、隣接する導光板２１２Ｃ同士の位置ずれを防止することができる。
【００７９】
また、図１５Ａに示す変形例では、発光領域１２は、共通となる一つの保持部２２の中に、面光源装置２１と第１化粧シート２３とからなる集合体を複数水平方向に並設することによって形成されている。そして、隣接する導光板２１２Ｄ同士のうち、一方の端部が凸状、他方の端部がそれと嵌合する凹状にそれぞれ加工されている。これらの端部を嵌合することによって、隣接する導光板２１２Ｄ同士の位置ずれを防止することができる。
【００８０】
更に、図１５Ｂに示す変形例では、発光領域１２は、共通となる一つの保持部２２の中に、複数の導光板２１２Ｅを千鳥状に複数段（ここでは、２段）に積み重ねることによって形成されている。各段において、隣接する導光板２１２Ｅ同士は間に隙間を有するように、間隔を開けて並設されている。そして、最も外側（すなわち、部屋Ｒ内部側）の導光板２１２Ｅには、第１化粧シート２３がそれぞれ貼り付けられている。
【００８１】
＜構造体の第４実施形態＞
図１６は第４実施形態の構造体を示す断面図である。本実施形態の構造体１０Ｃは、例えば部屋Ｒの壁Ｗに後付で取り付けられ、通常のベース照明とともにユーザに優しい光空間を演出するためのものである。この構造体１０Ｃは、一軸方向ｄ１に沿って天井Ｃ付近に配置された平板状の発光部２と、発光部２から所定の距離で離れて該発光部２の下方に配置された平板状の非発光部３とを備える。
【００８２】
発光部２は、上述した建材パネルの第１及び第３実施形態で説明したように、面光源装置２１と保持部２２と第１化粧シート２３Ｂと有する。第１化粧シート２３Ｂは、面光源装置２１の光源２１１の側面及び発光面２１ａのみならず、下側フレーム部２２ｃの外縁まで覆うように配置されている。一方、非発光部３は、薄板状のボード３１と、該ボード３１に貼り付けられた第２化粧シート３２Ａとを有する。第２化粧シート３２Ａは、上記第１化粧シート２３と同じ側に位置するように、接着剤等でボード３１に貼り付けられている。この第２化粧シート３２Ａは、ボード３１の主面のみならず、ボード３１の上端面まで覆うように配置されている。
【００８３】
図１６に示すように、発光部２と非発光部３との間には、一軸方向ｄ１に沿う第３化粧シート４が更に設けられている。この第３化粧シート４は、発光部２の下端（すなわち、第１化粧シート２３Ｂの下端）と非発光部３の上端（すなわち、第２化粧シート３２Ａの上端）との間の隙間に配置され、接着剤等で壁Ｗに貼り付けられている。第３化粧シート４は、第１化粧シート２３Ｂ及び第２化粧シート３２Ａと同じ材質、色彩及び模様であっても良く、異なっても良い。そして、色彩や模様が異なった場合にあっては、例えば一枚の絵が第１化粧シート２３Ｂ、第３化粧シート４及び第２化粧シート３２Ａにより三分割されて、これらの組み合わせることで一枚の絵を完成できるように形成されるのが好ましい。
【００８４】
ここで、一軸方向ｄ１における発光部２と非発光部３との間の距離をｔ、第１化粧シート２３Ｂの化粧面２３ａから壁Ｗまでの距離をｄとしたとき、ｔ及びｄは０．１≦ｔ／ｄ≦５の関係を満たすことが好ましい。ｔ／ｄの範囲は以下の内容に基づき設定されている。すなわち、ｔ／ｄが０．１より小さくなると、ベース照明からの光が発光部２と非発光部３との間に入射できなくなるので、発光部２と非発光部３との間の隙間が暗く見えてしまい、構造体１０Ｃ全体の統一感が損なわれる。一方、ｔ／ｄが５より大きくなると、発光部２と非発光部３とが離れすぎで、全体の統一感も損なわれる。
【００８５】
本実施形態の構造体１０Ｃによれば、上述した建材パネルの第１実施形態と同様な作用効果を得られるほか、発光部２と非発光部３との間に一軸方向ｄ１に沿う第３化粧シート４が更に設けられるので、構造体１０Ｃ全体の統一感を更に高めることができる。加えて、保持部２２の下側フレーム部２２ｃの外縁及びボード３１の上端面が第１化粧シート２３Ｂ、第２化粧シート３２Ａに覆われるので、仮に下側フレーム部２２ｃ及びボード３１が目立つものであっても、それぞれ第１化粧シート２３Ｂと第２化粧シート３２Ａで隠れるので、構造体１０Ｃ全体の統一感を維持することができる。
【００８６】
＜構造体の第５実施形態＞
図１７は第５実施形態の構造体を示す断面図である。本実施形態の構造体１０Ｄは、上述した構造体の第４実施形態と同様に、一軸方向ｄ１に沿って天井Ｃ付近に配置された平板状の発光部２と、発光部２から離れて該発光部２の下方に配置された平板状の非発光部３とを備えるほか、発光部２と非発光部３との間に配置されて発光部２の側端部を支持する基部５１を有する発光部支持部材５を更に備える。
【００８７】
図１７に示すように、発光部支持部材５は、断面Ｌ字状を呈し、発光部２と非発光部３との間に配置されるとともに発光部２の下端と当接して発光部２を支持する平板状の基部５１と、基部５１と一体的に形成されて壁Ｗに固定された平板状の壁部５２とを有する。基部５１は、発光部２の発光面２１ａより該発光面２１ａとは反対側に奥まっている。具体的には、基部５１の部屋Ｒに面する端面は、発光面２１ａよりも壁Ｗ側に位置するように形成されている。一方、壁部５２は、接着剤等で壁Ｗに直接貼り付けられている。また、発光部２の上部は、ネジ６を介して壁Ｗに固定されている。なお、ここで、ネジ６に代えて発光部支持部材５と同じ部材を用いても良い。
【００８８】
本実施形態の構造体１０Ｄによれば、上述した建材パネルの第１実施形態と同様な作用効果を得られるほか、発光部支持部材５の基部５１が発光部２の発光面２１ａより壁Ｗ側に奥まっているので、第１化粧シート２３Ｂの化粧面２３ａと第２化粧シート３２Ａの化粧面３２ａとの面合わせを容易に実施できるとともに、発光部２の取り外しも容易に行うことができる。なお、本実施形態において、基部５１と壁部５２とを有する発光部支持部材５を説明したが、基部５１が壁Ｗに直接固定される場合に、壁部５２を有さなくても良い。
【００８９】
＜構造体の第６実施形態＞
図１８は第６実施形態の構造体を示す断面図である。本実施形態の構造体１０Ｅは、発光部支持部材５の基部５１と非発光部３との間に一軸方向ｄ１に沿う第３化粧シート４Ａが設けられる点において、上述の第５実施形態と異なっている。その他の構成は第５実施形態と同様であるので、その重複説明を省略する。
【００９０】
具体的には、第３化粧シート４Ａは、基部５１の下端と非発光部３の上端（すなわち、第２化粧シート３２Ａの上端）との間の隙間に配置され、接着剤等で壁Ｗに貼り付けられている。
【００９１】
本実施形態の構造体１０Ｅによれば、上述した第５実施形態と同様な作用効果を得られるほか、基部５１と非発光部３との間に一軸方向ｄ１に沿う第３化粧シート４Ａが更に設けられるので、構造体１０Ｅ全体の統一感を更に高めることができる。
【００９２】
＜構造体の第７実施形態＞
図１９は、第７実施形態の構造体の面光源装置を示す分解斜視図である。本実施形態の構造体において、面光源装置２１は、発光面２１ａに対向する位置に配置された光反射シート２２１と、発光面２１ａの他の或る位置からの出射光量よりも少なくなるように発光面２１ａの或る位置からの出射光量を調整する調整シート２２２と、発光面２１ａと光反射シート２２１との間において発光面２１ａおよび光反射シート２２１に対して一軸方向ｄ１における第１側ｓ１に位置し、一軸方向ｄ１における第１側ｓ１から第２側ｓ２に向けて光を射出する光源２１１と、を有している。また、調整シート２２２は、光源２１１よりも発光面２１ａ側に位置する。
【００９３】
また、この場合、図１９に示すように、面光源装置２１の導光板２１２の一方の主面２１２ｂに光反射シート２２１が設けられ、他方の主面２１２ａに調整シート２２２が設けられている。また、調整シート２２２の面のうち、導光板２１２に対面する面の反対側の面に、光拡散シート２２３が設けられている。また、上述したように、光源２１１は、導光板２１２の一対の主面２１２ａ、２１２ｂの間に画成された側面に対面するように、一軸方向ｄ１における第１側ｓ１から当該側面に対向して配置されており、光源２１１からの光が当該側面に入射するように構成されている。
【００９４】
調整シート２２２は、可視光透過性を有した透明な基材２２２ａと、基材２２２ａ上に設けられた光吸収部２２２ｂと、を含んでいる。光吸収部２２２ｂは、例えば可視光吸収性を有した顔料を含んでおり、可視光吸収機能を有する。一例として、光吸収部２２２ｂは、カーボンブラックやチタンブラックを含む。
【００９５】
調整シート２２２は、一軸方向ｄ１における第２側ｓ２に位置する非発光領域１３に近接する位置で、言い換えると、一軸方向ｄ１における光源２１１から離間する位置で、第１化粧シート２３からの出射光量を低下させる。そして、調整シート２２２の各領域での光吸収能は、一様ではなく、変化する。例えば、調整シート２２２の或る領域での光吸収能を、当該領域よりも一軸方向ｄ１における第１側ｓ１に位置して光源２１１に近接する他の或る領域での調整シート２２２の光吸収能よりも強くすることで、発光領域１２のうち、一軸方向ｄ１における第２側ｓ２に位置して非発光領域１３に近接する領域からの出射光量を低下させることができる。さらに、任意に選択される領域での調整シート２２２の光吸収能を、当該領域よりも一軸方向ｄ１における第１側ｓ１に位置する他の領域での調整シート２２２の光吸収能以上とすることで、発光領域１２において、一軸方向ｄ１における第２側ｓ２に位置する非発光領域１３に近接するにしたがい出射光量を低下させることが可能となる。これらの調整シート２２２によれば、発光領域１２内の明るさを、非発光領域１３に近接する領域において非発光領域１３から離間する領域よりも暗くすることができる。この結果、面光源装置２１の存在感を効果的に薄めることができ、構造体全体の統一感を更に高めることができる。
【００９６】
なお、可視光吸収能は、顔料の含有密度、光吸収部２２２ｂの配置密度、光吸収部２２２ｂの厚さ等により調節することができる。顔料の含有密度が高いと、可視光吸収能は強くなる。光吸収部２２２ｂの配置密度が高いと、可視光吸収能は強くなる。光吸収部２２２ｂの厚さが厚いと、可視光吸収能は強くなる。
【００９７】
＜構造体の第８実施形態＞
図２０は、第８実施形態の構造体の面光源装置を示す分解斜視図である。本実施形態の構造体の面光源装置２１は、調整シート２２２が、光源２１１よりも光反射シート２２１側に設けられる点において、上述の第７実施形態と異なっている。すなわち、図２０に示すように、面光源装置２１の導光板２１２の一方の主面２１２ｂに調整シート２２２が設けられている。その他の構成は第７実施形態と同様であるので、その重複説明を省略する。図２０の例によれば、調整シート２２２の存在を利用者に認識させないようにすることができるので、調整シート２２２による意匠性の低下を抑制することができる。
【００９８】
以上、本開示の実施形態について詳述したが、本発明は、上記の実施形態に限定されるものではなく、特許請求の範囲に記載された本発明の精神を逸脱しない範囲で、種々の設計変更を行うことができるものである。例えば、上記実施形態では、建材パネルを部屋Ｒの壁Ｗに取り付けられた例を説明したが、建物の柱等の部位に取り付けても良い。
【符号の説明】
【００９９】
１，１Ａ，１Ｂ    建材パネル
２，２Ａ，２Ｂ    発光部、発光パネル
３    非発光部、非発光パネル
３ａ    第１非発光部
３ｂ    第２非発光部
４，４Ａ    第３化粧シート
５    発光部支持部材
１０，１０Ａ，１０Ｂ，１０Ｃ，１０Ｄ，１０Ｅ    構造体
１１    照明器具
１２    発光領域
１３    非発光領域
２１    面光源装置
２１ａ    発光面
２２，２２Ａ，２４    保持部
２２ａ    開口部
２２ｂ，２４ａ    上側フレーム部
２２ｃ，２４ｂ    下側フレーム部
２２ｄ    左側フレーム部
２２ｅ    右側フレーム部
２２ｆ    背板部
２２ｇ    貫通孔
２３，２３Ａ，２３Ｂ    第１化粧シート
２３ａ，３２ａ    化粧面
３１    ボード（板状部材）
３２，３２Ａ    第２化粧シート
５１    基部
５２    壁部
２１１    光源
２１２，２１２Ａ，２１２Ｂ，２１２Ｃ，２１２Ｄ，２１２Ｅ    導光板
２２１    光反射シート
２２２    調整シート
Ｃ    天井
Ｆ    床
Ｒ    部屋
Ｗ    壁
【図１】
2020097888.tif 000003
【図２】
2020097888.tif 000004
【図３】
2020097888.tif 000005
【図４】
2020097888.tif 000006
【図５】
2020097888.tif 000007
【図６】
2020097888.tif 000008
【図７】
2020097888.tif 000009
【図８】
2020097888.tif 000010
【図９】
2020097888.tif 000011
【図１０Ａ】
2020097888.tif 000012
【図１０Ｂ】
2020097888.tif 000013
【図１１】
2020097888.tif 000014
【図１２】
2020097888.tif 000015
【図１３Ａ】
2020097888.tif 000016
【図１３Ｂ】
2020097888.tif 000017
【図１４Ａ】
2020097888.tif 000018
【図１４Ｂ】
2020097888.tif 000019
【図１４Ｃ】
2020097888.tif 000020
【図１５Ａ】
2020097888.tif 000021
【図１５Ｂ】
2020097888.tif 000022
【図１６】
2020097888.tif 000023
【図１７】
2020097888.tif 000024
【図１８】
2020097888.tif 000025
【図１９】
2020097888.tif 000026
【図２０】
2020097888.tif 000027
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
発光面を有する面光源装置と、
前記発光面の少なくとも一部を露出するように前記面光源装置を保持する保持部と、
少なくとも前記発光面の一部あるいは全面を覆うように設けられた第１化粧シートと、
前記面光源装置に対して、前記発光面の面方向に平行な一軸方向に沿って配置された板状部材と、前記板状部材の少なくとも一部を覆うように設けられた第２化粧シートとを有し、
前記第１化粧シートと前記第２化粧シートとは、互いに分離した状態で前記一軸方向に沿って配置されており、
前記面光源装置は、前記板状部材よりも前記一軸方向における第１側に位置し、
前記発光面の出射光量は、前記一軸方向において前記第１側から、前記第１側の反対側である第２側に向かうにつれて徐々に少なくなっており、
前記第１化粧シートは、前記面光源装置および前記保持部のうちの少なくとも一方に貼り付けられており、
前記第２化粧シートは、前記一軸方向において前記第１化粧シートとの間に隙間を有するように配置されており、
前記保持部は、前記一軸方向に沿って両側から前記面光源装置を挟持し、互いに対向する一対のフレーム部を少なくとも有し、
前記第１化粧シートは、一対の前記フレーム部のうち、少なくとも一部が前記面光源装置よりも前記一軸方向において前記第２側に位置する前記フレーム部の外縁まで覆うように設けられている、建材パネルユニット。
【請求項２】
前記隙間の前記一軸方向に沿った長さは、３０ｍｍ以内である、請求項１に記載の建材パネルユニット。
【請求項３】
前記一軸方向において、前記第１化粧シートの化粧面と前記第２化粧シートの化粧面とは面一である請求項１または２に記載の建材パネルユニット。
【請求項４】
前記保持部は、前記一対のフレーム部を連結するとともに、前記発光面とは反対側に配置された背板部を更に有する請求項１〜３のいずれか一項に記載の建材パネルユニット。
【請求項５】
前記保持部の前記背板部には、１以上の孔が設けられている請求項４に記載の建材パネルユニット。
【請求項６】
前記面光源装置は、
前記発光面に対向する位置に配置された光反射シートと、
前記発光面の他の或る位置からの出射光量よりも少なくなるように前記発光面の或る位置からの出射光量を調整する調整シートと、
前記発光面と前記光反射シートとの間において前記発光面および前記光反射シートに対して前記一軸方向における一方の側に位置し、前記一軸方向における一方の側から他方の側に向けて光を射出する光源と、を有し、
前記調整シートは、前記光源よりも前記発光面側に位置する、請求項１〜５のいずれか一項に記載の建材パネルユニット。
【請求項７】
前記面光源装置は、
前記発光面に対向する位置に配置された光反射シートと、
前記発光面の他の或る位置からの出射光量よりも少なくなるように前記発光面の或る位置からの出射光量を調整する調整シートと、
前記発光面と前記光反射シートとの間において前記発光面および前記光反射シートに対して前記一軸方向における一方の側に位置し、前記一軸方向における一方の側から他方の側に向けて光を射出する光源と、を有し、
前記調整シートは、前記光源よりも前記光反射シート側に位置する、請求項１〜５のいずれか一項に記載の建材パネルユニット。
【請求項８】
請求項１〜７のいずれか一項に記載の建材パネルユニットを少なくとも一つ有する構造体であって、
壁又は天井と、前記面光源装置及び前記第１化粧シートを含む発光領域と、板状部材及び第２化粧シートを含む非発光領域と、を備え、
前記面光源装置及び前記第１化粧シートは、前記保持部が前記壁に取り付けられることにより前記壁に取り付けられているか、あるいは、前記保持部が前記天井に取り付けられることにより前記天井に取り付けられており、
前記板状部材及び前記第２化粧シートは、前記板状部材が前記第２化粧シートよりも前記壁側に位置するように前記壁に取り付けられているか、あるいは、前記板状部材が前記第２化粧シートよりも前記天井側に位置するように前記天井に取り付けられており、
前記発光領域と前記非発光領域とは、前記一軸方向に沿って配置されていることを特徴とする構造体。
【請求項９】
前記隙間の前記一軸方向に沿った長さをｔ、前記第１化粧シートの化粧面から前記壁又は前記天井までの距離をｄとしたとき、ｔ及びｄは、
０．１≦ｔ／ｄ≦５
という関係を満たす、請求項８に記載の構造体。
【請求項１０】
前記建材パネルユニットを複数有し、
前記発光領域は、複数の前記面光源装置及び前記第１化粧シートを前記一軸方向に直交する方向に沿ってそれぞれ並設することによって形成されている請求項８または９に記載の構造体。
【請求項１１】
請求項１〜７のいずれか一項に記載の建材パネルユニットの取付方法であって、
前記面光源装置と前記第１化粧シートとを取り付ける工程と、
前記板状部材と前記第２化粧シートとを、前記面光源装置よりも前記一軸方向における第２側に位置するように取り付ける工程と、を含むことを特徴とする建材パネルユニットの取付方法。
【請求項１２】
発光面を有する面光源装置と、前記発光面の少なくとも一部を露出するように前記面光源装置を保持する保持部と、少なくとも前記発光面の一部を覆うように設けられた第１化粧シートと、を有する発光部と、
前記面光源装置に対して、前記発光面の面方向に平行な一軸方向に沿って配置された板状部材と、少なくとも前記板状部材の一部を覆うように設けられた第２化粧シートと、を有する非発光部と、
を備え、
前記発光部と前記非発光部とは、前記一軸方向に沿って離れて配置されており、
前記発光部は、前記非発光部よりも前記一軸方向における第１側に位置し、
前記発光部と前記非発光部との間には、前記一軸方向に沿う第３化粧シートが設けられており、
前記発光面の出射光量は、前記一軸方向において前記第１側から、前記第１側の反対側である第２側に向かうにつれて徐々に少なくなっており、
前記第１化粧シートは、前記面光源装置および前記保持部のうちの少なくとも一方に貼り付けられており、
前記保持部は、前記一軸方向に沿って両側から前記面光源装置を挟持し、互いに対向する一対のフレーム部を少なくとも有し、
前記第１化粧シートは、一対の前記フレーム部のうち、少なくとも一部が前記面光源装置よりも前記一軸方向において前記第２側に位置する前記フレーム部の外縁まで覆うように設けられていることを特徴とする構造体。
【請求項１３】
発光面を有する面光源装置と、前記発光面の少なくとも一部を露出するように前記面光源装置を保持する保持部と、少なくとも前記発光面の一部を覆うように設けられた第１化粧シートと、を有する発光部と、
前記面光源装置に対して、前記発光面の面方向に平行な一軸方向に沿って配置された板状部材と少なくとも前記板状部材の一部を覆うように設けられた第２化粧シートとを有し、前記一軸方向に沿って前記発光部から離れて配置される非発光部と、
前記発光部と前記非発光部との間に配置されて前記発光部の側端部を支持する基部を少なくとも有する発光部支持部材と、
を備え、
前記発光部支持部材の前記基部は、前記発光面より該発光面とは反対側に奥まっており、
前記発光部は、前記非発光部よりも前記一軸方向における第１側に位置し、
前記発光面の出射光量は、前記一軸方向において前記第１側から、前記第１側の反対側である第２側に向かうにつれて徐々に少なくなっており、
前記第１化粧シートは、前記面光源装置および前記保持部のうちの少なくとも一方に貼り付けられており、
前記第２化粧シートは、前記一軸方向において前記第１化粧シートとの間に隙間を有するように配置されており、
前記保持部は、前記一軸方向に沿って両側から前記面光源装置を挟持し、互いに対向する一対のフレーム部を少なくとも有し、
前記第１化粧シートは、一対の前記フレーム部のうち、少なくとも一部が前記面光源装置よりも前記一軸方向において前記第２側に位置する前記フレーム部の外縁まで覆うように設けられていることを特徴とする構造体。
【請求項１４】
ベース照明と、
前記ベース照明よりも低い輝度で発光する発光部であって、発光面を有する面光源装置と、前記発光面の少なくとも一部を露出するように前記面光源装置を保持する保持部と、少なくとも前記発光面の一部を覆うように設けられた第１化粧シートと、を有する前記発光部と、
前記面光源装置に対して、前記発光面の面方向に平行な一軸方向に沿って配置された板状部材と、少なくとも前記板状部材の一部を覆うように設けられた第２化粧シートと、を有する非発光部と、
を備え、
前記発光部と前記非発光部が前記一軸方向に沿って並んで配置されており、
前記発光部は、前記非発光部よりも前記一軸方向における第１側に位置し、
前記発光面の出射光量は、前記一軸方向において前記第１側から、前記第１側の反対側である第２側に向かうにつれて徐々に少なくなっており、
前記第１化粧シートは、前記面光源装置および前記保持部のうちの少なくとも一方に貼り付けられており、
前記第２化粧シートは、前記一軸方向において前記第１化粧シートとの間に隙間を有するように配置されており、
前記保持部は、前記一軸方向に沿って両側から前記面光源装置を挟持し、互いに対向する一対のフレーム部を少なくとも有し、
前記第１化粧シートは、一対の前記フレーム部のうち、少なくとも一部が前記面光源装置よりも前記一軸方向において前記第２側に位置する前記フレーム部の外縁まで覆うように設けられている、構造体。
【請求項１５】
前記隙間の前記一軸方向に沿った長さは、３０ｍｍ以内である、請求項１３または１４に記載の構造体。
【請求項１６】
壁又は天井と、
前記壁又は前記天井に取り付けられた、請求項１〜７のいずれか一項に記載の建材パネルユニットと、を備え、
前記面光源装置及び前記第１化粧シートは、前記保持部が前記壁に取り付けられることにより前記壁に取り付けられているか、あるいは、前記保持部が前記天井に取り付けられることにより前記天井に取り付けられており、
前記板状部材及び前記第２化粧シートは、前記板状部材が前記第２化粧シートよりも前記壁側に位置するように前記壁に取り付けられているか、あるいは、前記板状部材が前記第２化粧シートよりも前記天井側に位置するように前記天井に取り付けられている、構造体。
【請求項１７】
壁又は天井を、更に備え、
前記面光源装置及び前記第１化粧シートは、前記保持部が前記壁に取り付けられることにより前記壁に取り付けられているか、あるいは、前記保持部が前記天井に取り付けられることにより前記天井に取り付けられており、
前記板状部材及び前記第２化粧シートは、前記板状部材が前記第２化粧シートよりも前記壁側に位置するように前記壁に取り付けられているか、あるいは、前記板状部材が前記第２化粧シートよりも前記天井側に位置するように前記天井に取り付けられている、請求項１３〜１５のいずれか一項に記載の構造体。
【請求項１８】
前記隙間の前記一軸方向に沿った長さをｔ、前記第１化粧シートの化粧面から前記壁又は前記天井までの距離をｄとしたとき、ｔ及びｄは、
０．１≦ｔ／ｄ≦５
という関係を満たす、請求項１６または１７に記載の構造体。